(57)【要約】【課題】ペットが食べ残したペットフード等の餌を外気の湿気や埃から保護する収容容器を備えたペット用食器の提供。【解決手段】本発明のペット用食器は、収納容器と蓋体を備える。収納容器は、上部を開口し、内部にペットの餌が収納される容器である。そして、蓋体は、収容容器上面を餌皿としている。また、蓋体の下部に収納容器の開口部を封止する封止部を備えて、当該封止部に封止材を設けることが望ましい。さらに、蓋体下部に湿気吸収剤を設けることで、収納容器に収納するペットフード等の餌が外気の湿気によって湿ることを防ぐ。【選択図】図１
2010063422.tif 000002
【特許請求の範囲】
【請求項１】
上部を開口し、内部にペットの餌が収納される収容容器と、
前記収容容器上面を餌皿とした蓋体を備えるペット用食器。
【請求項２】
前記蓋体の下部に、前記収納容器の開口部を封止する封止部を備え、
前記封止部に封止材を設けた請求項１に記載のペット用食器。
【請求項３】
前記蓋体下部に吸湿剤を設けた請求項１または２に記載のペット用食器。
【発明の詳細な説明】
【技術分野】
【０００１】
本発明は、ペットフード等の餌の収納が可能なペット用食器に関する。
【背景技術】
【０００２】
従来、猫等のペット（愛玩動物）に餌を与える場合、ペットの飼い主が、ペットの食事量を超えて餌皿等にペットフード（餌）を入れすぎてしまうことがあった。ペットが残した餌は、そのままにされ、餌が少なくなれば、上記残した餌にさらに追加して餌を与えることが通常行われている。
【０００３】
特許文献１には、従来のペット用食器が記載されている。この食器は、ペットが餌を外へこぼすのを防止するために、容器本体の底部に接着剤層を設けている。
【０００４】
特許文献２の猫用食器も猫が周囲に餌をこぼすことなく容易に餌を食べることができるように、本体部（餌皿）に段部を設けている。
【特許文献１】特開平０８−３０８４１８
【特許文献２】特開２００６−２１１９１８
【発明の開示】
【発明が解決しようとする課題】
【０００５】
しかし、上記の従来のペット用食器では、食べ残した餌についての考慮がなされていない。餌を皿等に出したままにしておくと、残った餌は、湿気で湿ってしまう。特に猫は湿った餌は食べないので残った餌は使えなくなる。
【０００６】
または、湿度が低く、残った餌が湿らなかったとしても、いつでも餌を食べることのできる状態であると、いつでも餌があることにペットが安心してしまって、餌を多めに食べたり（過食）、逆に食べなくなってしまうことがある（少食）。過食や少食をふせぐためにもペットには、餌の時間（３０分程度）だけ餌を与えるようにすることが望ましい。
【０００７】
したがって、餌の時間が終わった後、簡単に残りの餌を収納でき、しかも湿気や埃から餌を保護できるペット用の食器が望まれていた。
【課題を解決するための手段】
【０００８】
本発明は、上記目的を達成するために以下の手段を採用している。本発明のペット用食器は、収納容器と蓋体を備える。収納容器は、上部を開口し、内部にペットの餌が収納される容器である。そして、蓋体は、収容容器上面を餌皿としている。また、蓋体の下部に収納容器の開口部を封止する封止部を備えて、当該封止部に封止材を設けることが望ましい。
【０００９】
さらに、蓋体下部に湿気吸収剤を設けることで、収納容器に収納するペットフード等の餌が外気の湿気によって湿ることを防ぐ。
【発明の効果】
【００１０】
本発明のペット用食器によれば、ペットが、ペットフード等の餌を食べ残した場合であっても、その場で収納容器に収納できるので、ペットフード等の餌を湿気や埃から保護することができる。また、餌皿の封止部に封止材を設けることでペットフード等の餌をさらに湿気から保護することができる。これにより、収納容器に収納した餌が湿ることを防止するので、残した餌を次回の餌として再使用できる。さらに残した餌をすぐに収納容器に保存できるので、ペットの飼い主に対して食事の時間だけペットに餌を与える動機付けにもなる。
【発明を実施するための最良の形態】
【００１１】
以下、本発明の実施の形態を図１から図５に基づいて説明する。図１は、本発明の実施の形態に係るペット用食器の概観斜視図である。図２（Ａ）、（Ｂ）は図１のペット用食器の蓋体の拡大図、図３は封止材を示す図、図４は図２（Ａ）の蓋体に図３の封止材を装着させた図、図５は、収容容器の図である。図６はペット用食器を上面、底面及び側面から見た図であり、図７は、蓋体の断面図である。
【００１２】
本発明の実施の形態に係るペット用食器１は、ペットフード等の餌の収容容器３０と蓋体１０を備える。収容容器３０は、上部に開口部３１を有し、底面３２と側面３３を備える。
【００１３】
蓋体１０は、図６（ａ）のように上面視円状の形状であり、上面を餌皿１１とし、下面に封止部１５を備える。餌皿１１は、ペットが餌を食べやすいように傾斜し、図１の餌皿１１の中央部分１６が最も低くなるように湾曲して形成される（図６、７参照）。このように餌皿１１に傾斜を形成することで、中央部分１６に餌が集まり、食事中ペットが餌を餌皿１１からこぼす事を防いでいる。餌皿１１の底１２は上記開口部３１よりやや大きく形成されているので、当該餌皿１１の底１２が開口部３１に載置されて、蓋体１０が収納容器３０の開口部３１に蓋をすることができる。
【００１４】
封止部１５は、封止部上部１５ａと封止部下部１５ｂを備える。封止部上部１５ａは、収納容器３０の開口部３１より一回り小さくなるように形成され、下方にいくほどテーパー状に小さく形成される。封止部下部１５ｂの周面には、図３の封止材２０を装着するための溝１５ｃが形成される。
【００１５】
上記溝１５ｃに装着される封止材２０は、リング形状であり、内縁２１が溝１５ｃに嵌るように成形されている。封止材２０は、溝１５ｃに封止材２０を装着させた場合、封止材２０の外縁２２が収納容器３０の開口部３１の上端と略同じ大きさまで広がるように成形されている。
【００１６】
上記のように構成された蓋体１０の溝１５ｃに上記の封止材２０を装着する。蓋体１０の封止部上部１５ａはテーパー状に形成されているので、封止材２０の外縁２２と蓋体１０の封止部上部１５ａの間には隙間１９が生じる。封止材２０を装着した蓋体１０で収納容器２０に蓋をすると、上記隙間１９に封止材２０が密着して、収納容器３０の開口部３１が封止される。
【００１７】
封止材２０をゴム等の弾性部材で形成すれば、収容容器３０の開口部３１と蓋体１０をさらに密着させるので望ましい。本実施の形態では封止材２０は、シリコンゴムを使用した。
【００１８】
また、図２（Ｂ）のように封止部下部に多数の開口１６ａを有するポケット１６を取り付けて、当該ポケット１６に吸湿剤（図示せず）を挿入できる構成にしてもよい。または、当該ポケット１６は、収容容器３０の周面あるいは底面に設けてもよい。
【００１９】
本発明のペット用食器１は、以下のように使用する。まずペットの飼い主が、蓋体１０を収容容器３０に挿着させた状態で餌皿１１にペットフード等の餌を入れて、一定の時間（３０分程度）、ペットに食事を与える。蓋体１０を収容容器３０に挿着させて、少し高い位置で食事をさせるのは、例えば猫が自然な姿勢で食事ができるからである。
【００２０】
次に、餌の時間が終わっても、餌皿１１に餌が残っている場合、飼い主は、ペットが残した餌を収容容器３０に保存する。残した餌を収容容器３０にすぐ保存できるので、餌が湿ることや埃が付着することを防ぎ、次回の餌の時間に、収容容器３０に保存した餌を餌皿１１に戻してもペットに当該餌を食べさせることができる。
【図面の簡単な説明】
【００２１】
【図１】本発明のペット用食器の全体斜視図である。
【図２】本発明の蓋体の側面図である。
【図３】本発明の封止材の正面図である。
【図４】図３の封止材を蓋体に装着させた側面図である。
【図５】収納容器の斜視図である。
【図６】（ａ）本発明のペット用食器の平面図である。    （ｂ）本発明のペット用食器の底面図である。    （ｃ）本発明のペット用食器の正面図である。    （ｄ）本発明のペット用食器の背面図である。    （ｅ）本発明のペット用食器の左側面図である。
【図７】図１のＡ―Ａ断面図である。
【符号の説明】
【００２２】
１      ペット用食器
１０    蓋体
１５    封止部
１５ｂ  溝
２０    封止材
３０    収納容器
【図１】
2010063422.tif 000003
【図２】
2010063422.tif 000004
【図３】
2010063422.tif 000005
【図４】
2010063422.tif 000006
【図５】
2010063422.tif 000007
【図６】
2010063422.tif 000008
【図７】
2010063422.tif 000009